(57)【要約】【課題】簡単な構造による低コストでの発電を可能とする冷媒として液化炭酸ガスを用いる発電装置および発電方法を提供することを目的とする。【解決手段】冷媒として液化炭酸ガスを用いる。熱源１の比較的低温（５０℃以下）の温泉水をセパレータ２へ送り、熱水と蒸気に分離する。この熱水と蒸気を熱交換手段３へ送り、液化炭酸ガスをガス化し、炭酸ガスをタービン６へ送って発電機７で発電する。その後、炭酸ガスは凝縮器８で液化炭酸ガスに戻される。熱交換手段３から送り出された炭酸ガスの一部は、バイパス路１３を通してエゼクター２０へ圧送される。エゼクター２０は凝縮器８から送られてきた液化炭酸ガスをその負圧により吸引し、熱交換手段３の高圧に打ち勝ってこれへ圧送する。【選択図】        図１
2004332626.tif 000002
【特許請求の範囲】
【請求項１】
冷媒として液化炭酸ガスを用いる発電装置であって、熱源から送られてきた熱媒体から熱水と蒸気を生成するセパレータと、この熱水と蒸気の熱により、液化炭酸ガスを炭酸ガスにガス化する熱交換手段と、炭酸ガスのガス圧により駆動されて発電機を運転するタービンと、タービンから送り出された炭酸ガスを液化炭酸ガスに戻す凝縮器と、凝縮器と前記熱交換手段の間に設けられたエゼクターと、前記熱交換手段により生成された炭酸ガスの一部をバイパスしてエゼクターへ供給するバイパス路とを含み、バイパス路から送られてきた炭酸ガスを噴射するエゼクターの噴射力により前記凝縮器から送られてきた液化炭酸ガスを前記熱交換手段へ圧送するようにしたことを特徴とする発電装置。
【請求項２】
冷媒として液化炭酸ガスを用いる発電方法であって、熱源から送られてきた熱媒体からセパレータによって熱水と蒸気を生成する工程と、この熱水と蒸気を熱交換手段へ送ってその熱により液化炭酸ガスを炭酸ガスにガス化する工程と、炭酸ガスのガス圧によりタービンを駆動して発電機で発電する工程と、タービンから送り出された炭酸ガスを凝縮器により液化炭酸ガスに戻す工程と、前記熱交換手段から送り出された炭酸ガスの一部をバイパス路を通してエゼクターへ送り、エゼクターがこの炭酸ガスを噴射する噴射力により前記凝縮器から送られてきた液化炭酸ガスを前記熱交換手段へ圧送する工程とを含むことを特徴とする発電方法。
【発明の詳細な説明】
【０００１】
【発明の属する技術分野】
本発明は、冷媒として液化炭酸ガスを用いる発電装置および発電方法に関するものである。
【０００２】
【従来の技術】
従来の発電装置は、冷媒としてアンモニア、フロン、ペンタン等の低沸点媒体を用いていた。以下、従来の発電装置を説明する。図３は、従来の発電装置の構成図である。図３において細線は蒸気・熱水サイクルを示しており、太線は媒体サイクルを示している。１は熱源であり、地熱井（温泉）などの１００℃以上の高温の熱水である。熱水はセパレータ２へ送られ、セパレータ２は送られてきた熱水を熱水と蒸気に分離する。セパレータ２で生成された熱水は熱交換手段３を構成する予熱器４へ送られ、蒸気は蒸発器５へ送られる。予熱器４は媒体（冷媒）を予熱し、蒸発器５はこれをガス化する。矢印ａ、ｂで示すように、熱交換がなされた廃液は系外へ排出される。
【０００３】
熱交換手段３でガス化された高圧の媒体ガスはタービン６へ送られてこれを駆動する。タービン６は発電機７を駆動し発電させる。タービン６を通過した媒体ガスは凝縮器８へ送られて液化する。９は凝縮器８へ冷却水を送る冷却塔である。凝縮器８で液化された媒体（冷媒）はレシバー（タンク）１０へ送られてこれに貯溜され、ポンプ１１により予熱器４へ送られる。１２は逆止弁である。
【０００４】
【発明が解決しようとする課題】
従来の冷媒としては、アンモニア、フロン、ペンタン等が用いられていた。しかしながらこれらの冷媒には次のような問題点があった。第１には、かなり高温（一般には１００℃以上）を必要としていたため、熱源１の熱媒体として高温（一般に１００℃以上）の熱水が必要である。したがって温度の低い温泉水や工場廃液等は熱媒体として利用できない。第２には、アンモニアは悪臭、フロンは環境に有害、ペンタンは可熱性で危険などの問題がある。
【０００５】
ところで、冷媒（媒体）として液化炭酸ガス（あるいは炭酸ガス）が知られている。液化炭酸ガスは無臭・無害・安価であり、しかも融点は−５６．６℃であって、アンモニア、フロン、ペンタンと同様に低温でガス化する。このことは、比較的低温（５０℃以下）の熱媒体（温泉水、工場廃液、工場排熱等）によってもガス化できることを意味する。しかしながら冷媒として液化炭酸ガスを用いた場合、熱交換手段３でガス化した炭酸ガスの圧力はきわめて高圧（２００気圧程度、あるいはそれ以上）となる。したがってこのような高圧に打ち勝って液化炭酸ガスを熱交換手段へ送り込むためにはきわめて大容量のポンプが必要となり、コスト的に成立困難となる。
【０００６】
そこで本発明は、冷媒として液化炭酸ガスを用いる構造が簡単で安価な発電装置および発電方法を提供することを目的とする。
【０００７】
【課題を解決するための手段】
本発明は、冷媒として液化炭酸ガスを用いる発電装置であって、熱源から送られてきた熱媒体から熱水と蒸気を生成するセパレータと、この熱水と蒸気の熱により、液化炭酸ガスを炭酸ガスにガス化する熱交換手段と、炭酸ガスのガス圧により駆動されて発電機を運転するタービンと、タービンから送り出された炭酸ガスを液化炭酸ガスに戻す凝縮器と、凝縮器と前記熱交換手段の間に設けられたエゼクターと、前記熱交換手段により生成された炭酸ガスの一部をバイパスしてエゼクターへ供給するバイパス路とを含み、バイパス路から送られてきた炭酸ガスを噴射するエゼクターの噴射力により前記凝縮器から送られてきた液化炭酸ガスを前記熱交換手段へ圧送するようにした。
【０００８】
冷媒として液化炭酸ガスを用いる発電方法であって、熱源から送られてきた熱媒体からセパレータによって熱水と蒸気を生成する工程と、この熱水と蒸気を熱交換手段へ送ってその熱により液化炭酸ガスを炭酸ガスにガス化する工程と、炭酸ガスのガス圧によりタービンを駆動して発電機で発電する工程と、タービンから送り出された炭酸ガスを凝縮器により液化炭酸ガスに戻す工程と、前記熱交換手段から送り出された炭酸ガスの一部をバイパス路を通してエゼクターへ送り、エゼクターがこの炭酸ガスを噴射する噴射力により前記凝縮器から送られてきた液化炭酸ガスを前記熱交換手段へ圧送する工程とを含む。
【０００９】
上記構成において、比較的低温の熱媒体をセパレータへ送り、熱水と蒸気を生成する。この熱水と蒸気を熱交換手段へ送り、液化炭酸ガスをガス化し、炭酸ガスをタービンへ送って発電機で発電する。その後、炭酸ガスは凝縮器で液化炭酸ガスに戻される。熱交換手段から送り出された炭酸ガスの一部は、バイパス路を通してエゼクターへ圧送される。エゼクターは凝縮器から送られてきた液化炭酸ガスをその負圧により吸引し、熱交換手段の高圧に打ち勝ってこれへ圧送する。
【００１０】
【発明の実施の形態】
図１は発電装置の構成図である。図１において細線で示す管路は熱媒体サイクル（蒸気・熱水サイクル）を示しており、太線で示す管路は媒体サイクルを示している。１は熱源であり、比較的低温（５０℃以下）の地熱井（温泉）や工場廃液などの熱水を利用できる。勿論、従来のような高温の熱源の利用を禁止するものではない。熱水はセパレータ２へ送られる。セパレータ２は送られてきた熱水を熱水と蒸気分離する。セパレータ２で生成された熱水は熱交換手段３を構成する予熱器４へ送られ、蒸気は蒸発器５へ送られる。
【００１１】
予熱器４は冷媒である液化炭酸ガスを予熱し、蒸発器５はこれを炭酸ガスにガス化する。矢印ａ、ｂで示すように、熱交換がなされた廃液は系外へ排出される。熱交換手段３でガス化された高圧の炭酸ガスはタービン６へ送られてこれを駆動する。タービン６は発電機７を駆動し発電させる。タービン６を通過した炭酸ガスは凝縮器８へ送られて液化し、液化炭酸ガスに戻される。９は凝縮器８へ冷却水を送る冷却塔である。凝縮器８で生成した液化炭酸ガスはレシバー（タンク）１０へ送られてこれに貯溜され、次いでエゼクター２０へ送られ、次いで予熱器４へ圧送される。１２は逆止弁である。なお熱源としては、工場排熱である工場排煙などの廃ガスも利用できる。この場合、セパレータ２にシャワー手段を付設し、シャワーを廃ガスに噴射することにより比較的低温の熱水と蒸気を生成する。
【００１２】
蒸発器５で生成された炭酸ガスはタービン６へ圧送されるが、その一部はバイパス路１３を通じてエゼクター２０へ送られる。図２において、エゼクター２０は、本体部２１に流入管２２と流出管２３を接続して構成されている。バイパス路１３から送られてきた炭酸ガスは流入管２２と流出管２３の間へ射出され（矢印Ａ）、これによりこの間は負圧状態となる。したがってレシバー１０から送られてきた液化炭酸ガスはこの負圧状態に吸引されて流出管２３へ流入し、高速度にて予熱器４へ勢いよく送り出される（矢印Ｂ）。すなわち、熱交換手段３は液化炭酸ガスをガス化したことにより高圧状態（約２００気圧程度、あるいはそれ以上）であるが、矢印Ａで示すようにバイパス路１３を通して高速度で圧送されてくる高圧の炭酸ガスの流速を利用して、矢印Ｂで示すようにエゼクター２０から液化炭酸ガスを勢いよく噴射することにより、熱交換手段３の高圧状態に打ち勝って液化炭酸ガスを熱交換手段３へ圧送して送り込むことができる。以上のように、この発電装置によれば、媒体として液化炭酸ガスを用いて発電機を運転することができる。
【００１３】
【発明の効果】
以上のように本発明によれば、冷媒として安価・安全な液化炭酸ガスを用い、簡単な構造の発電装置および発電方法を実現できる。しかも、液化炭酸ガスの気化温度は低いので、比較低温の温泉水、工場廃液、工場排熱などを熱源として利用でき、ランニングコストの安価な発電を実現できる。
【図面の簡単な説明】
【図１】発電装置の構成図
【図２】エゼクターの断面図
【図３】従来の発電装置の構成図
【符号の説明】
１  熱源
２  セパレータ
３  熱交換手段
６  タービン
７  発電機
１３  バイパス路
２０  エゼクター
【図１】
2004332626.tif 000003
【図２】
2004332626.tif 000004
【図３】
2004332626.tif 000005